(57)【要約】【課題】  この考案は構造が簡単で誰でも簡単に組み立て分解が可能で、且つ、丈夫で美観が良く、出し入れが簡単で作業性・安定性の良い安価な紙製収納ケースを開発・提供する事にある。【解決手段】  一枚のシート材よりケースを形成したものであり、該ケースは、矩形状の底板と、該底板の長手側の両側面に、上部中央に取手用穴をそれぞれ有する矩形状の前板・後板と、これら前板・後板の内、一方の板の側面には、長尺の台形状の側板と、他方の板には、短尺の台形状の側板をそれぞれ設け、これら短尺の台形状の側板には、左右係止部を設け、これら係止部は、長尺の台形状の側板の左右係止穴部にそれぞれ差し込み可能としたものである。【選択図】  図４
0003123526.tif 000002
【実用新案登録請求の範囲】
【請求項１】
書類や図面等の各種資料を収納するケースであって、一枚のシート材よりケース（１）を形成したものであり、該ケース（１）は、矩形状の底板（１ａ）と、該底板（１ａ）の長手側の両側面に、上部中央に取手用穴（１ｈ）（１ｈ’）をそれぞれ有する矩形状の前板・後板（１ｂ）（１ｄ）と、これら前板・後板の内、一方の板（１ｂ或いは１ｄ）の側面には、長尺の台形状の側板（１ｄ）（１ｅ）と、他方の板（１ｄ或いは１ｂ）には、短尺の台形状の側板（１ｇ）（１ｆ）をそれぞれ設け、これら短尺の台形状の側板（１ｇ）（１ｆ）には、左右係止部（１ｌ）（１ｍ）を設け、これら係止部は、長尺の台形状の側板（１ｄ）（１ｅ）の左右係止穴部（１ｎ）（１ｏ）にそれぞれ差し込み可能とした事を特徴とする紙製収納ケース。
【考案の詳細な説明】
【技術分野】
【０００１】
この考案は、紙製収納ケースに関するものである。
【背景技術】
【０００２】
従来、書類や図面等の資料は、その都度ファイルブック等に綴じてカバンに入れて持ち運ぶのが通常である為、取り出すのに手間が掛かる。
【０００３】
又、上記のファイルブック等は厚みが無い為、立て置きする事が出来ない為、積み重ねる事が多く、場所を取り作業性が悪い等の問題があった。
【０００４】
そこで、これまでに出願されている紙製収納ケースの特許文献を参考の為、紹介する。（特許文献１〜２参照。）
【特許文献１】特開２００５−１７０４９５
【特許文献２】特開平１０−０８６９９０
【考案の開示】
【考案が解決しようとする課題】
【０００５】
そこで、上記課題を解決する為に、この考案は構造が簡単で誰でも簡単に組み立て分解が可能で、且つ、丈夫で美観が良く、出し入れが簡単で作業性・安定性の良い安価な紙製収納ケースを開発・提供する事にある。
【課題を解決するための手段】
【０００６】
この課題を解決する為の手段として、一枚のシート材よりケースを形成したものであり、該ケースは、矩形状の底板と、該底板の長手側の両側面に、上部中央に取手用穴をそれぞれ有する矩形状の前板・後板と、これら前板・後板の内、一方の板の側面には、長尺の台形状の側板と、他方の板には、短尺の台形状の側板をそれぞれ設け、これら短尺の台形状の側板には、左右係止部を設け、これら係止部は、長尺の台形状の側板の左右係止穴部にそれぞれ差し込み可能としたものである。
【考案の効果】
【０００７】
この考案の効果として、一枚のシート材よりケースを形成したものであり、該ケースは、矩形状の底板と、該底板の長手側の両側面に、上部中央に取手用穴をそれぞれ有する矩形状の前板・後板と、これら前板・後板の内、一方の板の側面には、長尺の台形状の側板と、他方の板には、短尺の台形状の側板をそれぞれ設け、これら短尺の台形状の側板には、左右係止部を設け、これら係止部は、長尺の台形状の側板の左右係止穴部にそれぞれ差し込み可能とした事で、構造が簡単で誰でも簡単に組み立て分解が可能で、且つ、丈夫で美観が良く、出し入れが簡単で作業性・安定性が良く安価である。
【０００８】
又、取手部の差込側と差込穴のサイズを変えロック機能を設ける事で、蓋をした状態で形状を維持する事が出来、又、ケースの側面が台形状（富士山形状）である為、大きな書類等折り目を付ける事無く、大きなＲ形状に折り曲げて収納する事が出来る等、極めて有益なる効果を奏するものである。
【考案を実施するための最良の形態】
【０００９】
この考案の最良の形態として、収納ケースの縦横寸法は使用頻度の多いＡ４サイズの資料が簡単に収納可能な最適な大きさに設定し、且つ、底板の幅寸法を立て置きしても倒れない適度な幅を確保し、且つ、資料の出し入れが簡単に出来る構造にする事が重要である。
【実施例１】
【００１０】
そこで、この考案の一実施例を図１〜図３に基づいて詳述すると、  書類や図面等の各種資料を収納するケースであって、一枚のシート材よりケース（１）を形成したものであり、該ケース（１）は、矩形状の底板（１ａ）と、該底板（１ａ）の長手側の両側面に、上部中央に取手用穴（１ｈ）（１ｈ’）をそれぞれ有する矩形状の前板・後板（１ｂ）（１ｄ）と、これら前板・後板の内、一方の板（１ｂ或いは１ｄ）の側面には、長尺の台形状の側板（１ｄ）（１ｅ）と、他方の板（１ｄ或いは１ｂ）には、短尺の台形状の側板（１ｇ）（１ｆ）をそれぞれ設け、これら短尺の台形状の側板（１ｇ）（１ｆ）には、左右係止部（１ｌ）（１ｍ）を設け、これら係止部は、長尺の台形状の側板（１ｄ）（１ｅ）の左右係止穴部（１ｎ）（１ｏ）にそれぞれ差し込み可能とした事を特徴とする紙製収納ケース。
から構成される。
【００１１】
次に、この考案である紙製収納ケースの構造及び折り曲げ要領（手順）を説明すると、まず、構造は、板厚約１ｍｍのダンボール紙を展開図（図３）に基づいて模り、二点鎖線部の各部折り曲げ線（ＢＬ）部を折り曲げて図４に示す様な、側面視が台形状（富士山形状）で正面視が矩形状の収納ケースを形成したものである。
【００１２】
次に、折り曲げ要領（手順）を説明すると、最初に左右側板横折り返し部（１ｊ）（１ｋ）と左右側板下折り返し部及び左右係止板（１ｆ）（１ｇ）の左右係止部（１ｌ）（１ｍ）の折り曲げ線（ＢＬ）部を予め直角（９０度）に折り曲げ、次に後板（１ｃ）上部取手穴（１ｈ’）部の係止部（１ｉ）を折り曲げ線から直角（９０度）手前に折り曲げ、更に、展開板の左右側板（１ｄ）（１ｅ）と係止板（１ｆ）（１ｇ）の折り曲げ線部（ＢＬ）を前後板（１ｂ）（１ｃ）に対して直角（９０度）に折り曲げ、更に、左右側板下折り返し部（１ｊ’）（１ｋ’）が底板の上側に重合する様にして底板（１ａ）長手方向と前後板（１ｂ）（１ｃ）の折り曲げ線から直角（９０度）手前に折り曲げる。そして、最後に左右係止板（１ｆ）（１ｇ）を左右側板（１ｄ）（１ｅ）部の上面を包囲重合させて左右係止部（１ｌ）（１ｍ）を左右係止穴部（１ｎ）（１ｏ）に挿入して固着する。そして、前後板（１ｂ）（１ｃ）上部中央に設けた取手用穴（１ｈ）（１ｈ’）部は係止部（１ｉ）を折り曲げて固着する。
【００１３】
次に使用時の取り扱いについて説明すると、収納ケースに書類や物品等を出し入れする時は、図４に示す様に取手用穴（１ｈ’）部の係止部（１ｉ）を外し、前板（１ｂ）の上半部を開き、更に左右側板横折り返し部（１ｊ）（１ｋ）の上部をそれぞれ手前に開いて前板（１ｂ）を固定させて取り易くする。そして、収納した後は逆の手順で元の状態に戻す。
【産業上の利用可能性】
【００１４】
この考案の紙製収納ケースは、構造が簡単で誰でも簡単に組み立て分解が可能で、且つ、丈夫で美観が良く、出し入れが簡単で作業性・安定性が良く安価である為、多くの市場に寄与する点で産業上の利用可能性を有する。
【図面の簡単な説明】
【００１５】
【図１】この考案の一実施例を示し、（Ａ）は平面図で、（Ｂ）は正面図で、（Ｃ）は底面図で、（Ｄ）は図１（Ｂ）のａ−ａ矢視断面図である。
【図２】この考案の一実施例を示し、（Ａ）は左側面図で、（Ｂ）は右側面図である。
【図３】この考案の一実施例を示し、展開図である。
【図４】この考案の使用例を示し、斜視図である。
【符号の説明】
【００１６】
１  ケース
１ａ  底板
１ｂ  前板
１ｃ  後板
１ｄ  左側板
１ｅ  右側板
１ｆ  左係止板
１ｇ  右係止板
１ｈ  取手用穴
１ｈ’  取手用穴
１ｉ  係止部
１ｊ  左側板横折り返し部
１ｊ’  左側板下折り返し部
１ｋ  右側板横折り返し部
１ｋ’  右側板下折り返し部
１ｌ  左係止部
１ｍ  右係止部
１ｎ  左係止穴部
１ｏ  右係止穴部
ＢＬ  折り曲げ線
【図１】
0003123526.tif 000003
【図２】
0003123526.tif 000004
【図３】
0003123526.tif 000005
【図４】
0003123526.tif 000006